(57)【要約】【課題】尿等の横漏れが起こりにくい吸収性物品を提供する。【解決手段】トップシート２とバックシート３とこれらの間に設けられた吸収性積層体１０を有する吸収性物品１であって、トップシート２の幅方向ｘの両側に立ち上がりフラップ５が設けられ、吸収性積層体１０は、主吸収体１１と、主吸収体１１のトップシート２側に設けられた補助吸収体２１を有し、補助吸収体２１は、立ち上がりフラップ５の立ち上がる起点となる基部６と重なるように、主吸収体１１の幅方向ｘの両側にそれぞれ設けられ、補助吸収体２１は、複数層のシート部材を含み、シート部材の間に吸水性樹脂を有しパルプ繊維を有しないように構成され、幅方向ｘの両側にシート部材どうしが接合された封止部と、封止部の間に形成された非封止部を有し、補助吸収体２１の非封止部に、ボルテックス法による吸水速度が２０秒以下である吸水性樹脂が配されている。【選択図】図２
2015150059.tif 000002
【特許請求の範囲】
【請求項１】
幅方向と前後方向を有し、トップシートとバックシートとこれらの間に設けられた吸収性積層体を有する吸収性物品であって、
前記トップシートの幅方向の両側に、前後方向に延びる立ち上がりフラップが設けられ、
前記吸収性積層体は、主吸収体と、前記主吸収体のトップシート側に設けられた補助吸収体を有し、
前記補助吸収体は、前記立ち上がりフラップの立ち上がる起点となる基部と重なるように、前記主吸収体の幅方向の両側にそれぞれ設けられ、
前記補助吸収体は、複数層のシート部材を含み、シート部材の間に吸水性樹脂を有しパルプ繊維を有しないように構成され、幅方向の両側に前記シート部材どうしが接合された封止部と、前記封止部の間に形成された非封止部を有し、
前記補助吸収体の非封止部に、ボルテックス法による吸水速度が２０秒以下である吸水性樹脂が配されていることを特徴とする吸収性物品。
【請求項２】
前記補助吸収体には、吸水性樹脂として、ボルテックス法による吸水速度が２０秒以下である吸水性樹脂のみが配されている請求項１に記載の吸収性物品。
【請求項３】
前記主吸収体は、吸水性樹脂とパルプ繊維を含有し、
前記主吸収体には、ボルテックス法による吸水速度が４０秒以上である吸水性樹脂が配されている請求項１または２に記載の吸収性物品。
【請求項４】
前記補助吸収体は、前記立ち上がりフラップの基部から幅方向の３０ｍｍ以上内方に延在していない請求項１〜３のいずれか一項に記載の吸収性物品。
【請求項５】
前記主吸収体は、前後方向に延びる溝または開口が形成されている請求項１〜４のいずれか一項に記載の吸収性物品。
【請求項６】
前記封止部は、前記補助吸収体が吸水して、シート部材どうしの接合が維持される請求項１〜５のいずれか一項に記載の吸収性物品。
【発明の詳細な説明】
【技術分野】
【０００１】
本発明は、尿パッド（軽失禁パッドを含む）、生理用ナプキン、使い捨ておむつ等の吸収性物品に関するものである。
【背景技術】
【０００２】
従来、尿等の横漏れを防止するために、様々な工夫が施された吸収性物品が知られている。例えば特許文献１には、トップシートとバックシートとこれらの間に設けられた吸収体を有し、幅方向の両側に立体ギャザーが設けられた吸収性物品であって、吸収体の上面に、不織布間に吸水性樹脂と接着剤を含有する吸水層が設けられた吸水積層シートが立体ギャザーと重なるように設けられた吸収性物品が開示されている。
【先行技術文献】
【特許文献】
【０００３】
【特許文献１】特開２０１３−１１６２１２号公報
【発明の概要】
【発明が解決しようとする課題】
【０００４】
特許文献１に開示された吸収性物品では、吸収体の上面の幅方向の両側に設けられた吸水積層シートによって、尿等の横漏れが防止されている。このように吸収性物品において横漏れを防止することは、吸収性物品が具備すべき基本的特性であり、より効果的に尿等の横漏れを防止できる吸収性物品が求められている。この点で、特許文献１に開示された吸収性物品では、吸水積層シートは、吸収体上を拡散した尿等を単に吸収するために設けられており、横漏れ防止効果を高める点で改善の余地がある。
【０００５】
本発明は前記事情に鑑みてなされたものであり、その目的は、尿等の横漏れが起こりにくい吸収性物品を提供することにある。
【課題を解決するための手段】
【０００６】
前記課題を解決することができた本発明の吸収性物品とは、幅方向と前後方向を有し、トップシートとバックシートとこれらの間に設けられた吸収性積層体を有する吸収性物品であって；トップシートの幅方向の両側に、前後方向に延びる立ち上がりフラップが設けられ；吸収性積層体は、主吸収体と、主吸収体のトップシート側に設けられた補助吸収体を有し；補助吸収体は、立ち上がりフラップの立ち上がる起点となる基部と重なるように、主吸収体の幅方向の両側にそれぞれ設けられ；補助吸収体は、複数層のシート部材を含み、シート部材の間に吸水性樹脂を有しパルプ繊維を有しないように構成され、幅方向の両側にシート部材どうしが接合された封止部と、封止部の間に形成された非封止部を有し；補助吸収体の非封止部に、ボルテックス法による吸水速度が２０秒以下である吸水性樹脂が配されているところに特徴を有する。
【０００７】
本発明の吸収性物品は、主吸収体の上面の幅方向の両側に設けられた補助吸収体によって、主吸収体上に排泄された尿等が補助吸収体を越えて拡散するのが防止される。この際、補助吸収体は、幅方向の両側でシート部材どうしが接合されて封止部が形成され、封止部の間に形成された非封止部に吸水性樹脂が配されているため、尿等を吸収することで補助吸収体が上下方向に膨らみ、補助吸収体によって高さの高い拡散防止壁を形成することができる。また補助吸収体が上下方向に膨らむことで、補助吸収体の上に位置する立ち上がりフラップの基部が上方に持ち上げられ、立ち上がりフラップによる横漏れ防止効果も高まる。そして、吸水性樹脂として、ボルテックス法による吸水速度が２０秒以下である吸水性樹脂を配することにより、初回の排泄時から高さの高い拡散防止壁が形成されやすくなる。そのため、本発明の吸収性物品は横漏れ防止効果に優れたものとなる。
【０００８】
補助吸収体には、吸水性樹脂として、ボルテックス法による吸水速度が２０秒以下である吸水性樹脂のみが配されていることが好ましい。補助吸収体にこのように吸水性樹脂が配されていれば、補助吸収体が尿等を吸収すると拡散防止壁が速やかに形成され、尿等の横漏れ防止効果が高まる。
【０００９】
補助吸収体の封止部は、補助吸収体が吸水して、シート部材どうしの接合が維持されるものであることが好ましい。このように封止部が形成されていれば、補助吸収体が尿等を吸収した際に、拡散防止壁がより高く形成されやすくなる。
【００１０】
補助吸収体は、立ち上がりフラップの基部から幅方向の３０ｍｍ以上内方に延在していないことが好ましい。このように補助吸収体が設けられることにより、主吸収体の上面に補助吸収体が配されない領域が広く確保され、着用者から排泄された尿等が主吸収体で好適に吸収されるようになる。
【００１１】
主吸収体は吸水性樹脂とパルプ繊維を含有し、主吸収体には、ボルテックス法による吸水速度が４０秒以上である吸水性樹脂が配されていることが好ましい。このように主吸収体が形成されていれば、主吸収体内での尿等の拡散性が高まり、主吸収体の吸収能が広範囲にわたって活用される。
【００１２】
主吸収体には、前後方向に延びる溝または開口が形成されていることが好ましい。主吸収体にこのように溝または開口が設けられることにより、着用者から排泄された尿等が主吸収体を前後方向に拡散しやすくなり、尿等が主吸収体によって速やかに吸収されるようになる。
【発明の効果】
【００１３】
本発明の吸収性物品は、主吸収体の上面の幅方向の両側に設けられた補助吸収体が尿等を吸収すると、補助吸収体が上下方向に膨らんで、拡散防止壁が形成される。また、補助吸収体が上下方向に膨らむことで、補助吸収体の上に位置する立ち上がりフラップの基部が上方に持ち上げられ、立ち上がりフラップによる横漏れ防止効果も高まる。そして、吸水性樹脂として、ボルテックス法による吸水速度が２０秒以下である吸水性樹脂が配されることで、初回の排泄時から高さの高い拡散防止壁が形成されやすくなる。そのため、本発明の吸収性物品は横漏れ防止効果に優れたものとなる。
【図面の簡単な説明】
【００１４】
【図１】本発明の吸収性物品の一例を表し、吸収性物品の平面図を表す。
【図２】図１に示した吸収性物品のＩＩ−ＩＩ断面図を表す。
【図３】図１に示した吸収性物品に設けられた吸収性積層体の平面図を表す。
【図４】図３に示した吸収性積層体のＩＶ−ＩＶ断面図を表す。
【発明を実施するための形態】
【００１５】
本発明の吸収性物品は、トップシートとバックシートとこれらの間に設けられた吸収性積層体を有する。本発明の吸収性物品の態様としては、尿パッド（失禁パッドを含む）、使い捨ておむつ、生理用ナプキン等が示される。
【００１６】
吸収性物品は、前後方向と幅方向とを有する。「前後方向」とは、吸収性物品を着用者が着用した際、着用者の股間の前後方向に延びる方向を意味する。「幅方向」とは、吸収性物品と同一面上にあり、前後方向と直交する方向を意味する。前後方向と幅方向から形成される平面上の方向を平面方向と規定する。また本発明において、「上側」とは、吸収性物品を着用した際の着用者側を意味し、「下側」とは、吸収性物品を着用した際の着用者とは反対側、すなわち外側を意味する。上側から下側に延びる方向を、上下方向と規定する。
【００１７】
吸収性物品の形状は特に限定されない。吸収性物品が尿パッドである場合、吸収性物品の形状としては、略長方形、砂時計形、ひょうたん形、羽子板形等が示される。
【００１８】
吸収性物品が使い捨ておむつである場合、吸収性物品は、例えば、前腹部と後背部とこれらの間に位置し吸収性積層体が備えられた股部とから構成される。使い捨ておむつとしては、例えば、前腹部と後背部とこれらの間に位置する股部とからなるパンツ部材の肌側面に、トップシートとバックシートの間に吸収性積層体が配された吸収性本体が設けられてもよい。このとき、吸収性本体の形状としては略長方形等が示される。使い捨ておむつとしてはまた、トップシートとバックシートの間に吸収性積層体が配された積層体が、前腹部と後背部とこれらの間に位置する股部とを形成してもよい。なお、前腹部は、使い捨ておむつを着用の際に着用者の腹側に当てる部分に相当し、後背部は、使い捨ておむつを着用の際に着用者の背側に当てる部分に相当する。股部は、前腹部と後背部との間に位置し、着用者の股間に当てる部分に相当する。
【００１９】
吸収性物品が使い捨ておむつである場合、使い捨ておむつは、後背部の左右側端に一対の止着部材が設けられ、当該止着部材により着用時にパンツ形状に形成するオープンタイプ（テープタイプ）の使い捨ておむつであったり、ウェスト開口部と一対の脚開口部とが形成されたパンツタイプの使い捨ておむつであってもよい。
【００２０】
トップシートは、吸収性物品の着用の際に着用者側に位置するシートであり、液透過性であることが好ましい。トップシートとしては、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、孔が形成されたプラスチックフィルム等を用いてもよい。
【００２１】
バックシートは、吸収性物品の着用の際に着用者とは反対側、すなわち外側に位置するシートであり、液不透過性であることが好ましい。バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。本発明において、液不透過性には撥水性の意味も含まれる。
【００２２】
パンツ部材は、液透過性であっても液不透過性であってもよく、トップシートやバックシートに使用可能なシート材料を用いることができる。パンツ部材は、内側シートに外側シートが積層されて形成されることが好ましく、親水性の内側シートに液不透過性の外側シートが積層されて形成されることがより好ましい。
【００２３】
上記説明した各シート材料として不織布を用いる場合、不織布としては、スパンボンド不織布、エアスルー不織布、ポイントボンド不織布、メルトブロー不織布、エアレイド不織布、ＳＭＳ不織布等を用いることが好ましい。
【００２４】
吸収性物品には、幅方向の両側に立ち上がりフラップが設けられている。立ち上がりフラップを設けることにより、尿等の横漏れが防止される。立ち上がりフラップは、トップシートの幅方向の両側に設けられることが好ましく、これにより着用者から排泄された尿等が、立ち上がりフラップの間で液溜まりなどを形成することなく、トップシートを透過して吸収性積層体に速やかに吸収されやすくなる。
【００２５】
立ち上がりフラップは、例えば、トップシートの幅方向の両側に、前後方向に延在するサイドシートを接合し、サイドシートの幅方向内方に弾性部材を設けることにより形成される。このようにサイドシートと弾性部材とを設けることにより、弾性部材の収縮力によりサイドシートの幅方向内方が着用者の肌に向かって立ち上がり、立ち上がりフラップが形成される。立ち上がりフラップまたはサイドシートは、液不透過性のプラスチックフィルムや液不透過性の不織布等により構成されることが好ましい。
【００２６】
立ち上がりフラップに設けられる弾性部材としては、ポリウレタン糸、ポリウレタンフィルム、天然ゴム等の通常の使い捨ておむつ等の吸収性物品に用いられる弾性伸縮材料を用いることができる。弾性部材は、伸張状態で、ホットメルト接着剤で固定されることが好ましい。例えば、繊度４０〜１，２４０ｄｔｅｘのポリウレタン糸を、倍率１．１〜５．０倍に伸張して配設し、固定する。接合手段としては、好ましくは、ゴム系のホットメルト接着剤が用いられる。なお、前記倍率は、非伸張状態を１．０倍とする。
【００２７】
吸収性積層体は、トップシートとバックシートの間に配され、着用者から排泄されてトップシートを透過した尿等を吸収し保持する。吸収性積層体は、主吸収体と、主吸収体のトップシート側に設けられた補助吸収体を有する。補助吸収体は、立ち上がりフラップの立ち上がる起点となる基部と重なるように、主吸収体の幅方向の両側にそれぞれ設けられる。補助吸収体は、好ましくは吸収性積層体の最上側に配される。また、補助吸収体は主吸収体と隣接して設けられることが好ましい。なお、主吸収体の下側には、さらに別の吸収体が設けられてもよい。
【００２８】
吸収性積層体は、着用者から排泄された尿等を基本的に主吸収体で吸収する。主吸収体は、尿等の排泄物を吸収できる吸収性材料を含むものであれば特に限定されない。主吸収体としては、例えば、吸収性材料を所定形状に成形した成形体を用いることができる。主吸収体は、紙シート（例えば、ティッシュペーパーや薄葉紙）や液透過性不織布等のシート部材で覆われてもよい。主吸収体に含まれる吸収性材料としては、例えば、セルロース繊維（例えば、粉砕したパルプ繊維）等の親水性繊維や、ポリアクリル酸系、ポリアスパラギン酸系、デンプン系、ポリビニルアルコール系等の吸水性樹脂等が挙げられる。また、吸収性材料には、ポリエチレン、ポリプロピレン等のポリオレフィン繊維や、ＰＥＴ等のポリエステル繊維、ナイロン等のポリアミド繊維等の熱融着性繊維が含まれてもよい。これらの熱融着性繊維は、尿等の体液との親和性を高めるために、界面活性剤等により親水化処理がされていてもよい。
【００２９】
主吸収体は、尿等の吸収速度を高める点から、吸収性材料として親水性繊維を含むことが好ましい。また、吸収容量を高める点から、吸収性材料として吸水性樹脂を含むことが好ましい。従って、主吸収体は吸水性樹脂と親水性繊維（特にパルプ繊維）を含むことが好ましい。吸水性樹脂と親水性繊維は均一に混合されていてもよく、不均一に混合されていてもよく、また親水性繊維に吸水性樹脂が散布されていてもよい。
【００３０】
補助吸収体は、主吸収体上に排泄された尿等の横漏れを防止するために設けられる。補助吸収体は、主吸収体の幅方向の両側に立ち上がりフラップの基部と重なるように主吸収体上に設けられるが、着用者から排泄された尿等が主吸収体上で広がった際に、尿等が補助吸収体まで達すると、補助吸収体が尿等を吸収して上下方向に膨らんで、尿等がそれ以上幅方向の外方に拡散するのを防止することを意図される。またそれと同時に、立ち上がりフラップの基部を上方に持ち上げて、立ち上がりフラップによって高さの高い防漏壁が形成されるようにしている。
【００３１】
補助吸収体は、複数層のシート部材を含み、シート部材の間に吸水性樹脂を有しパルプ繊維を有しないように構成される。補助吸収体は、吸水性樹脂の上側と下側にそれぞれシート部材が設けられ、いわば上側のシート部材と下側のシート部材を有する。上側のシート部材と下側のシート部材は別々のシート部材から構成されてもよく、１つのシート部材を折り返し、折り返された一方側を上側のシート部材とし、他方側を下側のシート部材としてもよい。
【００３２】
補助吸収体に設けられるシート部材は液透過性であり、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたものを用いることができる。また、シート部材として、織布、編布、有孔プラスチックフィルム等を用いてもよい。好ましくは、シート部材として、不織布製シート部材（不織布シート）を用いる。
【００３３】
補助吸収体は、上側のシート部材と下側のシート部材の間に吸水性樹脂が配されるが、これらのシート部材の間にはパルプ繊維は配されない。なお補助吸収体において、製造上不可避的に混入するパルプ繊維の存在は許容される。補助吸収体は、シート部材の間に吸水性樹脂を有しパルプ繊維を有しないように構成されるため、高い吸収容量を有しつつ薄型に形成することができる。
【００３４】
補助吸収体は、幅方向の両側にシート部材どうしが互いに接合された封止部と、封止部の間に形成された非封止部を有する。非封止部には吸水性樹脂が配されて吸収領域が形成されている。このように補助吸収体が形成されることにより、補助吸収体に含まれる吸水性樹脂が尿等を吸収することで、補助吸収体が上下方向に膨らんで、尿等が補助吸収体を越えて拡散するのが防止される。また、上下方向に膨らんだ補助吸収体によって、立ち上がりフラップの基部が上方に持ち上げられて、より高い防漏壁が形成されやすくなる。この点、例えば補助吸収体の両側に封止部が形成されない場合は、シート部材の間に配された吸水性樹脂が尿等を吸収して膨潤しても、吸水性樹脂が上下方向よりも平面方向に広がりやすくなり、補助吸収体を上下方向に高く形成することは困難となり、補助吸収体は単に尿等を吸収するだけの機能しか期待できなくなる。
【００３５】
封止部は、シート部材どうしを接着剤で接合したり、ヒートシール（熱融着）や超音波接着することにより形成されればよい。封止部は、シート部材どうしが接合される部分として規定され、封止部での吸水性樹脂の存在は許容される。
【００３６】
補助吸収体に配される吸水性樹脂としては、上記に説明した主吸収体に使用可能な吸水性樹脂を用いることができる。吸水性樹脂としては、高い吸収容量を有する点で、ポリアクリル酸ナトリウム等のポリアクリル酸系の吸水性樹脂を用いることが好ましい。なお本発明の吸収性物品では、補助吸収体の非封止部に、ボルテックス法による吸水速度が２０秒以下である吸水性樹脂が配されている。このように吸水速度の速い吸水性樹脂が配されることにより、補助吸収体が尿等を吸収すると速やかに上下方向に膨らんで、尿等の横漏れ防止効果が高まる。このことは、吸収性物品の未使用時には補助吸収体が尿等を吸収していないため、吸収性積層体の厚みを薄く形成できるにも関わらず、吸収性物品の使用時には補助吸収体が尿等を吸収することによって、尿等がそれ以上幅方向の外方に拡散するのを防止するための拡散防止壁が形成されることを意味する。しかも、ボルテックス法による吸水速度が２０秒以下である吸水性樹脂を配することにより、初回の排泄時から高さの高い拡散防止壁が形成されやすくなる。
【００３７】
補助吸収体に配される吸水性樹脂のボルテックス法による吸水速度は、１５秒以下が好ましく、１０秒以下がより好ましい。一方、前記吸水速度の下限は特に限定されないが、補助吸収体に配される吸水性樹脂のボルテックス法による吸水速度は、例えば、１秒以上であればよく、２秒以上がより好ましい。ボルテックス法による吸水速度が２０秒以下の吸水性樹脂としては、例えば、住友精化株式会社製のアクアキープ（登録商標）１０ＳＨ−ＰＦを用いることができる。
【００３８】
補助吸収体には、吸水性樹脂として、ボルテックス法による吸水速度が２０秒以下である吸水性樹脂のみが配されていることが好ましい。例えば、補助吸収体に吸収領域が複数設けられるような場合、すなわち非封止部が封止部によって複数に区分されたり、非封止部が２層以上に分かれて存在し、複数の非封止部に吸水性樹脂が配されて吸収領域が複数設けられるような場合は、各吸収領域に、ボルテックス法による吸水速度が２０秒以下である吸水性樹脂が配されることが好ましい。補助吸収体にこのように吸水性樹脂が配されていれば、補助吸収体が尿等を吸収することによって拡散防止壁が速やかに形成され、尿等の横漏れ防止効果が高まる。なお、補助吸収体に吸収領域が１つのみ設けられる場合は、当該吸収領域に配される吸水性樹脂全体としてのボルテックス法による吸水速度が２０秒以下であればよい。
【００３９】
吸水性樹脂のボルテックス法による吸水速度は、ＪＩＳ  Ｋ  ７２２４（１９９６年版）に従って測定する。具体的には次のようにして吸水速度を求める。１００ｍＬのガラスビーカーに、生理食塩水（０．９重量％塩化ナトリウム水）５０ｍＬとマグネチックスターラーチップ（中央部直径８ｍｍ、両端部直径７ｍｍ、長さ３０ｍｍで、表面がフッ素樹脂コーティングされているもの）を入れ、ビーカーをマグネチックスターラー（アズワン製ＨＰＳ−１００）に載せる。マグネチックスターラーの回転数を６００±６０ｒｐｍに調整し、生理食塩水を撹拌する。吸水性樹脂２．０ｇを、撹拌中の食塩水の渦の中心部で液中に投入し、吸水性樹脂のビーカーへの投入が完了した時点で計時を開始し、スターラーチップが試験液に覆われた時点（渦が消え、液表面が平らになった時点）で計時を止め、その時間（秒）を吸水速度として記録する。測定は５回行い（ｎ＝５）、上下各１点の値を削除し、残る３点の平均値を測定値とする。なお、これらの測定は２３±２℃、相対湿度５０±５％で行い、測定の前に吸水性樹脂を同環境で２４時間以上保存した後に測定する。
【００４０】
吸収性物品からの吸水性樹脂の取り出しは次のようにして行う。補助吸収体から吸水性樹脂を取り出す場合は、吸水性樹脂を間に配したシート部材を分離するなどして、シート部材の間に配された吸水性樹脂を取り出す。主吸収体が後述するように吸水性樹脂とパルプ繊維を有し、主吸収体に配される吸水性樹脂の吸水速度を測定する必要性が生じた場合は、吸水性樹脂とパルプ繊維の混合物を篩を用いて吸水性樹脂とパルプ繊維とに分離することにより、吸水性樹脂を取り出す。
【００４１】
補助吸収体の吸収領域（すなわち非封止部に吸水性樹脂が配される領域）に配される吸水性樹脂の量は、５０ｇ／ｍ２以上が好ましく、１００ｇ／ｍ２以上がより好ましく、また２００ｇ／ｍ２以下が好ましく、１８０ｇ／ｍ２以下がより好ましい。吸収領域に、ボルテックス法による吸水速度が２０秒以下の吸水性樹脂が５０ｇ／ｍ２以上の量で配されていれば、補助吸収体が尿等を吸収することにより高さの高い拡散防止壁が形成されやすくなる。一方、ボルテックス法による吸水速度が２０秒以下の吸水性樹脂が２００ｇ／ｍ２より多くの量が配されていても、吸収領域に配された吸水性樹脂が尿等の吸収に十分に寄与しなくなるおそれがあり、拡散防止壁の高さを高める効果も飽和する。従って、吸収領域には、ボルテックス法による吸水速度が２０秒以下の吸水性樹脂が２００ｇ／ｍ２以下の量で配されていることが好ましい。
【００４２】
補助吸収体が尿等を吸収することによって、より高く拡散防止壁が形成されるためには、補助吸収体が２つ以上重なって設けられることが好ましい。補助吸収体を２つ以上重ねて設けることにより、同じ量の吸水性樹脂を１つの補助吸収体に配する場合と比較して、吸水性樹脂のより多くの部分が尿等の吸収に寄与しやすくなり、その結果、より高さの高い拡散防止壁が形成されやすくなる。
【００４３】
補助吸収体は、立ち上がりフラップの基部と重なるように主吸収体の幅方向の両側にそれぞれ設けられるが、補助吸収体は、立ち上がりフラップの基部から幅方向の３０ｍｍ以上内方（より好ましくは２５ｍｍ以上内方）に延在していないことが好ましい。このように補助吸収体を設けることにより、主吸収体の上面に補助吸収体が配されない領域が広く確保され、着用者から排泄された尿等が主吸収体で好適に吸収されるようになる。一方、補助吸収体が尿等を吸収することにより、立ち上がりフラップの基部が上方に持ち上げられ、より高い防漏壁が形成されるようにする点から、補助吸収体は、立ち上がりフラップの基部から幅方向の１０ｍｍ以上内方に延在していることが好ましく、１５ｍｍ以上内方に延在していることがより好ましい。なお、補助吸収体は、立ち上がりフラップの基部から幅方向の外方にも延在していることが好ましい。
【００４４】
補助吸収体において、封止部は、補助吸収体の前後方向の全長にわたって延びるように設けられることが好ましい。また吸収領域は、補助吸収体の前後方向の全長にわたって延びるように設けられることが好ましい。このように封止部や吸収領域が設けられれば、補助吸収体の前後方向の全体にわたって拡散防止壁が好適に形成され、尿等の横漏れが防止されやすくなる。
【００４５】
封止部は、補助吸収体の幅方向の両側とその間に合計３つ以上幅方向に並んで設けられてもよい。この場合、補助吸収体には、いわば吸収領域を分割するように封止部が設けられることとなる。なお、補助吸収体によって、より高さの高い拡散防止壁が形成されるようにする点からは、封止部は補助吸収体の幅方向の両側のみに設けられることが好ましく、すなわち各補助吸収体には封止部が幅方向に並んで２つ設けられることが好ましい。
【００４６】
封止部は、補助吸収体が吸水しても、シート部材どうしの接合が維持されることが好ましい。このように封止部が形成されることにより、補助吸収体が尿等を吸収することによって吸収領域が上下方向に膨らんで拡散防止壁がより高く形成されやすくなる。封止部でシート部材どうしの接合が維持されやすくするためには、シート部材どうしを、ゴム系接着剤（例えば、天然ゴム系、ブチルゴム系、ポリイソプレン等）やスチレン系エラストマー（例えば、スチレン−イソプレン−スチレンブロック共重合体（ＳＩＳ）、スチレン−ブタジエン−スチレンブロック共重合体（ＳＢＳ）、スチレン−エチレン−ブタジエン−スチレンブロック共重合体（ＳＥＢＳ）、スチレン−エチレン−プロピレン−スチレンブロック共重合体（ＳＥＰＳ）等）で接着したり、ヒートシール（熱融着）あるいは超音波接着することが好ましい。
【００４７】
補助吸収体では、吸水性樹脂が接着剤によってシート部材に固定されていることが好ましい。すなわち、シート部材には接着剤が塗布されて接着剤層が設けられ、吸水性樹脂が接着剤層でシート部材に固定されていることが好ましい。接着剤層は、上側のシート部材と下側のシート部材の少なくとも一方に設けられればよいが、好ましくは、接着剤層は上側のシート部材と下側のシート部材の両方に設けられる。吸水性樹脂は、少なくとも一部が接着剤層に固定されていればよく、例えば、接着剤層に接する吸水性樹脂が接着剤層に固定されていればよい。吸水性樹脂が接着剤層によりシート部材に固定されていれば、吸水性樹脂がシート部材の間で移動しにくくなり、補助吸収体によって拡散防止壁が好適に形成されやすくなる。
【００４８】
接着剤層は、吸水性樹脂を固定しつつ、吸水性樹脂による吸水や膨潤を阻害しないことが好ましい。この点から、接着剤層は断続的なパターンで設けられることが好ましく、例えば、接着剤層は、接着剤を網状やストライプ状や散点状に塗布することにより形成されることが好ましい。接着剤層を網状に形成する場合は、カーテンスプレー法、スパイラルコーティング法、オメガコーティング法等により接着剤を塗布すればよい。
【００４９】
接着剤層に用いる接着剤としては、上記に説明したような封止部を形成するのに使用可能な接着剤を使用することができる。また、接着剤層によって封止部が形成されてもよい。この場合、接着剤層によってシート部材どうしが接合され、これにより封止部が形成されることとなる。
【００５０】
主吸収体は、吸水性樹脂とパルプ繊維を含有することが好ましい。主吸収体に配される吸水性樹脂と補助吸収体に配される吸水性樹脂は同じであっても異なっていてもよいが、主吸収体に配される吸水性樹脂は補助吸収体に配される吸水性樹脂よりも吸水速度が遅いものであることが好ましい。主吸収体は、吸水性樹脂を含むことにより尿等の保持能力が高められる。主吸収体に含まれるパルプ繊維としては、解繊パルプ繊維が好ましく用いられ、解繊パルプ繊維は繊維塊として用いられることが好ましい。主吸収体は、パルプ繊維を含むことにより尿等の速やかな吸収を実現し、また主吸収体での尿等の拡散性が高められる。
【００５１】
主吸収体の吸水性樹脂の含有量は特に限定されないが、５質量％以上が好ましく、１０質量％以上がより好ましく、また４０質量％以下が好ましく、３０質量％以下がより好ましい。吸水性樹脂の含有量が５質量％以上であれば、主吸収体の尿等の保持能力が高まり、吸水性樹脂の含有量が４０質量％以下であれば、尿等の主吸収体内での拡散性が高まる。
【００５２】
主吸収体の目付は、９０ｇ／ｍ2以上が好ましく、１００ｇ／ｍ2以上がより好ましく、また１５０ｇ／ｍ2以下が好ましく、１４０ｇ／ｍ2以下がより好ましい。主吸収体の目付が９０ｇ／ｍ2〜１５０ｇ／ｍ2の範囲にあれば、主吸収体の厚みが厚くなりすぎず、尿等の吸収性に優れた主吸収体が得やすくなる。
【００５３】
主吸収体には、ボルテックス法による吸水速度が４０秒以上である吸水性樹脂が配されていることが好ましい。主吸収体に配される吸水性樹脂がこのような吸水速度を有していれば、主吸収体内での尿等の拡散性が高まり、主吸収体の吸収能が広範囲にわたって活用されるようになる。主吸収体に配される吸水性樹脂のボルテックス法による吸水速度は、より好ましくは６０秒以上であり、さらに好ましくは９０秒以上である。一方、前記吸収速度の上限は特に限定されないが、尿等が吸水性樹脂によって好適に固定されるようにする点から、主吸収体に配される吸水性樹脂のボルテックス法による吸水速度は、３００秒以下が好ましく、２４０秒以下がより好ましい。ボルテックス法による吸水速度が４０秒以上の吸水性樹脂としては、一般に吸収性物品に使用される吸水性樹脂を用いることができる。
【００５４】
主吸収体は、立ち上がりフラップの基部よりも幅方向の外方に延在していることが好ましい。主吸収体がこのように設けられていれば、主吸収体が補助吸収体を支えて、補助吸収体が尿等を吸収することによって高さの高い拡散防止壁が形成されやすくなる。
【００５５】
主吸収体には、前後方向に延びる溝または開口が設けられることが好ましい。例えば、主吸収体が吸水性樹脂とパルプ繊維を含有する成形体を有する場合は、当該成形体に前後方向に延びる溝または開口が形成されることが好ましい。この際、主吸収体の溝または開口は、補助吸収体と重ならないように設けられることが好ましい。このように主吸収体に溝または開口が設けられることにより、着用者から排泄された尿等が主吸収体を前後方向に拡散しやすくなり、尿等が主吸収体によって速やかに吸収されるようになる。
【００５６】
本発明において、「開口」とは上下方向に貫通して設けられるものであり、一方、「溝」とは表面に形成された窪みを意味し、底面を有するものとして規定される。溝または開口はトップシート側に面するように主吸収体に設けられればよく、主吸収体の成形体に溝または開口が形成される場合は、成形体の溝または開口が被覆シートで覆われていてもよい。
【００５７】
溝または開口は、前後方向の長さが幅方向の長さよりも長くなるように延びるように設けられる限り、その形状は特に限定されない。溝または開口の形状としては、例えば、長方形、角の丸まった長方形、楕円形、多角形、砂時計形、亜鈴形等が挙げられる。
【００５８】
溝または開口の数は１つであってもよく複数であってもよい。溝または開口が複数設けられる場合は、溝または開口は、幅方向に並んで複数設けられることが好ましい。なお、主吸収体の吸収容量と拡散性の両方を確保する点から、溝または開口は１つまたは２つ設けられることが好ましい。溝または開口が１つのみ設けられる場合は、溝または開口は、主吸収体の幅方向の中央部に設けられることが好ましく、すなわち、主吸収体の幅方向の中心線（すなわち前後方向に延びる中心線）を含むように設けられることが好ましい。溝または開口が２つ設けられる場合は、前後方向に延びる溝または開口が幅方向に並んで２つ設けられることが好ましい。この場合、溝または開口は主吸収体の幅方向の中心線に対して略対称となるように設けられることが好ましい。
【００５９】
主吸収体に設けられる溝または開口は、着用者の排尿部付近に面するように設けられることが好ましい。例えば主吸収体の溝または開口は、主吸収体の前後方向に対する相対的位置として前側端を０％とし後側端を１００％としたとき、少なくとも３０％〜６０％の範囲（より好ましくは２５％〜７０％の範囲）に延在することが好ましい。
【００６０】
主吸収体の溝または開口は、主吸収体の前後方向の全体に設けられてもよく、前後方向の一部に設けられてもよい。なお、主吸収体の溝または開口は、主吸収体の前後方向の一部のみに設けられることが好ましく、このように主吸収体に溝または開口を設けることにより、尿等が吸収性積層体の前後方向に漏れにくくなる。この場合、溝または開口の前後方向の両端が、主吸収体の前側端と後側端よりも前後方向の内方に位置するように設けられることが好ましい。例えば主吸収体の溝または開口は、主吸収体の前後方向に対する相対的位置として前側端を０％とし後側端を１００％としたとき、溝または開口の前側端が１０％〜３０％の範囲（より好ましくは１５％〜２５％の範囲）に位置し、溝または開口の後側端が６０％〜９０％（より好ましくは７０％〜８５％の範囲）に位置することが好ましい。
【００６１】
主吸収体には、溝が設けられることが好ましい。主吸収体に開口ではなく溝を設けることにより、吸収性物品のバックシート側からの漏れが起こりにくくなり、また、主吸収体に尿等が速やかに吸収されやすくなる。さらに、主吸収体に排泄された尿等がバックシート側に移行する割合が減ることで、尿等が補助吸収体にも吸収されやすくなり、補助吸収体による拡散防止壁が好適に形成されやすくなる。
【００６２】
主吸収体に溝が設けられる場合、主吸収体が次のように構成されれば、主吸収体に製造上簡便に溝を形成することができる。すなわち、主吸収体は吸水性樹脂とパルプ繊維を含有する成形体を有し、当該成形体は、トップシート側に設けられた上側成形体とバックシート側に設けられた下側成形体から構成され、上側成形体に前後方向に延びる開口が設けられ、下側成形体が上側成形体の開口と重なって設けられることにより、成形体に前後方向に延びる溝が形成されてもよい。この場合、下側成形体は上側成形体の開口を完全に覆うように上側成形体の下側に配されることとなる。
【００６３】
主吸収体の溝または開口の幅（幅方向の長さ）は、例えば、８ｍｍ以上が好ましく、１０ｍｍ以上がより好ましく、また３０ｍｍ以下が好ましく、２５ｍｍ以下がより好ましい。主吸収体の溝または開口の幅が８ｍｍ以上であれば、尿等の前後方向への拡散性が高められ、主吸収体の溝または開口の幅が３０ｍｍ以下であれば、主吸収体の吸収容量が増大する。
【００６４】
補助吸収体と主吸収体の前後方向の長さは特に限定されない。補助吸収体と主吸収体は前後方向の長さが同じであってもよく、補助吸収体の方が主吸収体よりも前後方向に長く形成されてもよく、主吸収体の方が補助吸収体よりも前後方向に長く形成されてもよい。
【００６５】
主吸収体に溝または開口が設けられる場合、補助吸収体は、主吸収体の溝または開口よりも、前後方向の外方に延在していることが好ましい。補助吸収体はまた、主吸収体に設けられた溝または開口よりも、幅方向の外方に設けられることが好ましい。この場合、補助吸収体の幅方向の内方の端縁が、主吸収体の溝または開口よりも幅方向の外方に位置することとなる。このように補助吸収体と主吸収体が形成されていれば、主吸収体の溝または開口に着用者から排泄された尿等がスムーズに導かれやすくなり、尿等が主吸収体で前後方向に好適に拡散しやすくなる。
【００６６】
主吸収体と補助吸収体は、これらの間に形成された接着剤層によって、互いに接合されていることが好ましい。接着剤層は、例えば、前述したゴム系接着剤やスチレン系エラストマーで形成されることが好ましい。主吸収体と補助吸収体が接着剤により互いに接合されていれば、補助吸収体が主吸収体上の適切な位置で固定され、吸収性物品が所望する機能を発揮しやすくなる。
【００６７】
吸収性積層体は、主吸収体と補助吸収体以外の吸収体（第３の吸収体）が設けられていてもよい。ただしこの場合、第３の吸収体は主吸収体の下側に設けられることが好ましい。第３の吸収体は、例えば、シート部材の間に吸水性樹脂を有しパルプ繊維を有しないように構成された吸収体であってもよく、吸水性樹脂とパルプ繊維を含むものであってもよい。
【００６８】
次に本発明の吸収性物品の構成例について、図面を参照して説明する。図１〜図４には、本発明の吸収性物品の構成例を示した。図１は吸収性物品の一例として尿パッドを表し、吸収性物品をトップシート側から見た平面図を表す。図２は、図１に示した吸収性物品のＩＩ−ＩＩ断面図を表す。図３は、図１の吸収性物品に設けられた吸収性積層体をトップシート側から見た平面図を表す。図４は、図３に示した吸収性積層体のＩＶ−ＩＶ断面図を表す。図面において、矢印ｘ、ｙ、ｚはそれぞれ吸収性物品の幅方向、前後方向、上下（厚み）方向を表す。また図１および図３では、図の上側が吸収性物品の前側に相当し、図の下側が吸収性物品の後側に相当する。なお、本発明は、図面に示された実施態様に限定されるものではない。
【００６９】
吸収性物品１は、トップシート２とバックシート３とこれらの間に設けられた吸収性積層体１０とを有する。トップシート２は、着用者の肌に面するように配置され、尿等の排泄物を透過する。トップシート２を透過した排泄物は、吸収性積層体１０により収容される。バックシート３は、排泄物が外部へ漏れるのを防いでいる。
【００７０】
吸収性物品１には、トップシート２の幅方向ｘの両側に、前後方向ｙに延びる立ち上がりフラップ５が設けられている。図１および図２では、トップシート２の幅方向ｘの両側に、前後方向ｙに延在するサイドシート４が接合され、サイドシート４の幅方向ｘの内方端に設けられた起立用弾性部材７の収縮力によりサイドシート４の内方端が着用者の肌に向かって立ち上がり、これにより立ち上がりフラップ５が形成されている。立ち上がりフラップ５は、立ち上がる起点となる基部６を有する。立ち上がりフラップ５により、尿等の幅方向ｘの横漏れが防止される。なお、立ち上がりフラップ５は前後方向ｙの端部の内面がトップシート２上に接合されてもよく、これにより立ち上がりフラップ５の立ち上がりが容易になる。
【００７１】
吸収性積層体１０は、主吸収体１１と、主吸収体１１のトップシート２側に設けられた補助吸収体２１を有する。補助吸収体２１は、立ち上がりフラップ５の立ち上がる起点となる基部６と重なるように、主吸収体１１の幅方向ｘの両側にそれぞれ設けられている。なお図３および図４では、立ち上がりフラップ５の基部６が存在する位置関係を一点鎖線で示している。補助吸収体２１は、複数層のシート部材２２を含み、シート部材２２の間に吸水性樹脂２３を有しパルプ繊維を有しないように構成され、幅方向ｘの両側にシート部材２２どうしが接合された封止部２５と、封止部２５の間に形成された非封止部２６を有し、非封止部２６にボルテックス法による吸水速度が２０秒以下である吸水性樹脂２３が配されている。
【００７２】
吸収性物品１はこのように形成されているため、補助吸収体２１が尿等を吸収することにより、補助吸収体２１が上下方向ｚに膨らんで拡散防止壁が形成され、尿等が補助吸収体２１を越えて拡散するのが防止される。また、補助吸収体２１が上下方向ｚに膨らむことにより、立ち上がりフラップ５の基部６が上方に持ち上げられ、立ち上がりフラップ５による横漏れ防止効果も高まる。しかも、補助吸収体２１に配される吸水性樹脂２３は、ボルテックス法による吸水速度が２０秒以下であるため、初回の排泄時から高さの高い拡散防止壁が形成されやすくなる。そのため、吸収性物品１は、優れた横漏れ防止効果を有するものとなる。
【００７３】
図３および図４に示すように、補助吸収体２１は、シート部材２２に接着剤が塗布されて接着剤層２４が形成され、吸水性樹脂２３が接着剤層２４によりシート部材２２に固定されることが好ましい。封止部２５はシート部材２２どうしが接着剤層２４によって互いに接合された部分に形成され、シート部材２２どうしが接合されない部分に非封止部２６が形成されている。非封止部２６には吸水性樹脂２３が配されて吸収領域２７が形成されている。吸水性樹脂２３を接着剤層２４によりシート部材２２に固定することで、吸水性樹脂２３がシート部材２２の間で移動しにくくなり、補助吸収体２１により拡散防止壁が好適に形成されやすくなる。また、接着剤層２４によって封止部２５を簡便に形成することができる。
【００７４】
主吸収体１１は、吸水性樹脂とパルプ繊維を含有する成形体１２を有し、主吸収体１１に配される吸水性樹脂は、ボルテックス法による吸水速度が４０秒以上であることが好ましい。このように主吸収体１１が形成されていれば、主吸収体１１内での尿等の拡散性が高まり、主吸収体１１の吸収能が広範囲にわたって活用されるようになる。
【００７５】
主吸収体１１には、前後方向ｙに延びる溝１５が形成されていることが好ましい。図面では、主吸収体１１の成形体１２が上側成形体１３と下側成形体１４から構成され、上側成形体１３に前後方向ｙに延びる開口１６が設けられ、下側成形体１４が上側成形体１３の開口１６と重なって設けられることにより、成形体１２に前後方向ｙに延びる溝１５が形成されている。このように主吸収体１１に溝１５が形成されることにより、着用者から排泄された尿等が主吸収体１１を前後方向ｙに拡散しやすくなり、尿等が主吸収体１１によって速やかに吸収されるようになる。なお、溝１５の代わりに成形体１２を上下方向ｚに貫通する開口を設けてもよい。
【００７６】
上側成形体１３は下側成形体１４よりも、前後方向ｙおよび幅方向ｘに長く形成されていることが好ましい。このように成形体１２を形成することにより、成形体１２の溝１５の近傍での尿等の保持能力が高まり、主吸収体１１の吸収能が効率良く発揮されるようになる。また、上側成形体１３を下側成形体１４よりも前後方向ｙおよび幅方向ｘに長く形成することで、着用者が上側成形体１３と下側成形体１４との段差ができることによる違和感を覚えにくくなり、吸収性物品１の着用感が向上する。
【００７７】
主吸収体１１は、立ち上がりフラップ５の基部６よりも幅方向ｘの外方に延在するように設けられることが好ましい。主吸収体１１がこのように設けられていれば、主吸収体１１が補助吸収体２１を支えて、補助吸収体２１が尿等を吸収することにより高さの高い拡散防止壁が形成されやすくなる。
【符号の説明】
【００７８】
１：  吸収性物品
２：  トップシート
３：  バックシート
５：  立ち上がりフラップ
６：  基部
１０：  吸収性積層体
１１：  主吸収体
１５：  溝
２１：  補助吸収体
２２：  シート部材
２３：  吸水性樹脂
２５：  封止部
２６：  非封止部
【図１】
2015150059.tif 000003
【図２】
2015150059.tif 000004
【図３】
2015150059.tif 000005
【図４】
2015150059.tif 000006